(57)【特許請求の範囲】
【請求項１】
光軸に沿って移動して変倍を行う第１レンズ群と、光軸に沿って移動して焦点あわせを行う第２レンズ群と、前記第１レンズ群の位置を検出する第１位置検出手段と前記第２レンズ群の位置を検出する第２位置検出手段と、前記第１レンズ群の駆動を行う第１レンズ駆動手段と前記第２レンズ群の駆動を行う第２レンズ駆動手段と、
前記第１レンズ群及び第２レンズ群の後方に位置し、前記レンズ群を通した光を電気信号に変換する光電変換器と前記光電変換器の出力から高周波成分を検出する焦点電圧検出手段と、合焦点位置からのずれ量（デフォーカス量）を判定する合焦判定手段と前記合焦判定手段の出力から前記第２レンズ群の移動量を算出する駆動量算出手段を有し、前記駆動量算出手段の出力を前記第２レンズ群の駆動手段へ伝える構成で前記光電変換器上に結像する被写体像の焦点調節を自動で行う自動焦点調節器と、
ユーザの操作によって駆動量を算出する駆動量算出手段の出力で前記第２レンズ群を駆動して手動で焦点調節を行う手動焦点調節器と、
前記光電変換器へ入射する光量を制御する光量調節手段を具備した撮像装置の構成において、自動焦点調節器と手動焦点調節器の出力を調整する駆動量調節部を設け、
前記光量調節手段によって制御される光電変換器の光量蓄積時間が第１の時間以下であるときには前記駆動量調節部にて前記自動焦点調節器の駆動量算出手段の出力比率を１、前記手動焦点調節器の駆動量算出手段の出力比率を０とし、
前記光量蓄積時間が前記第１の時間より長い第２の時間以上であるときには前記駆動量調節部にて前記自動焦点調節器の駆動量算出手段の出力比率を０、前記手動焦点調節器の駆動量算出手段の出力比率を１とし、
前記光量蓄積時間が前記第１の時間より長く、前記第２の時間より短いときには前記光量蓄積時間に比例して前記駆動量調節部にて前記自動焦点調節器の駆動量算出手段の出力比率を減少させ、前記手動焦点調節器の駆動量算出手段の出力比率を増加させる手段を設け、前記第２レンズ群を制御することを特徴とする撮像装置。
【請求項２】
請求項１の構成において、自動焦点調節器と手動焦点調節器の出力を調整する駆動量調節部と記憶素子を設け、前記光量調節手段によって制御される光電変換器の光量蓄積時間に応じて前記駆動量調節部にて前記自動焦点調節器の前記駆動量算出手段の出力と前記手動焦点調節器の前記駆動量算出手段の出力の混合比率をあらかじめ前記記憶素子に記憶し、混合出力をする際に前記記憶素子に記憶された混合比率を用いて混合、出力して前記第２レンズ群を制御することを特徴とする撮像装置。
【請求項３】
請求項１の構成において、自動焦点調節器と手動焦点調節器の出力を調整する駆動量調節部と記憶素子を設け、前記駆動量調節部にて前記自動焦点調節器の前記駆動量算出手段の出力と前記手動焦点調節器の前記駆動量算出手段の出力の複数の混合比率と前記光量調節手段によって制御される光電変換器の少なくとも１つ以上の光量蓄積時間をあらかじめ前記記憶素子に記憶し、現在の光量蓄積時間と記憶されている光量蓄積時間を比較し、記憶されている複数の混合比率から選択した混合比率を用いて混合、出力して前記第２レンズ群を制御することを特徴とする撮像装置。
【請求項４】
請求項３の構成において、自動焦点調節器と手動焦点調節器の出力を調整する駆動量調節部と記憶素子を設け、前記駆動量調節部にて前記自動焦点調節器の前記駆動量算出手段の出力と前記手動焦点調節器の前記駆動量算出手段の出力の複数の混合比率と前記光量調節手段によって制御される光電変換器の少なくとも１つ以上の光量蓄積時間をあらかじめ前記記憶素子に記憶し、さらにユーザから前記記憶素子の内容を変更する入力手段を設けることでこれらの変更を可能とし、現在の光量蓄積時間と記憶されている光量蓄積時間を比較し、ユーザの指示によって変更された複数の混合比率から選択した混合比率を用いて混合、出力して前記第２レンズ群を制御することを特徴とする撮像装置。
【請求項５】
光軸に沿って移動して変倍を行う第１レンズ群と、光軸に沿って移動して焦点あわせを行う第２レンズ群と、前記第１レンズ群の位置を検出する第１位置検出手段と前記第２レンズ群の位置を検出する第２位置検出手段と、前記第１レンズ群の駆動を行う第１レンズ駆動手段と前記第２レンズ群の駆動を行う第２レンズ駆動手段と、
前記第１レンズ群及び第２レンズ群の後方に位置し、前記レンズ群を通した光を電気信号に変換する光電変換器と前記光電変換器の出力から高周波成分を検出する焦点電圧検出手段と、合焦点位置からのずれ量（デフォーカス量）を判定する合焦判定手段と前記合焦判定手段の出力から前記第２レンズ群の移動量を算出する駆動量算出手段を有し、前記駆動量算出手段の出力を前記第２レンズ群の駆動手段へ伝える構成で前記光電変換器上に結像する被写体像の焦点調節を自動で行う自動焦点調節器と、
ユーザの操作によって駆動量を算出する駆動量算出手段の出力で前記第２レンズ群を駆動して手動で焦点調節を行う手動焦点調節器と、
さらに、ユーザの別の指示により駆動量を算出する駆動量算出手段の出力で前記第１レンズ群を駆動するズーム駆動手段と、
前記光電変換器へ入射する光量を制御する光量調節手段を具備した撮像装置の構成において、自動焦点調節器と手動焦点調節器の出力を調整する駆動量調節部を設け、
前記光量調節手段によって制御される光電変換器の光量蓄積時間が第１の時間以下であるときには前記駆動量調節部にて前記自動焦点調節器の駆動量算出手段の出力比率を１、前記手動焦点調節器の駆動量算出手段の出力比率を０とし、
前記光量蓄積時間が前記第１の時間より長い第２の時間以上であるときには前記駆動量調節部にて前記自動焦点調節器の駆動量算出手段の出力比率を０、前記手動焦点調節器の駆動量算出手段の出力比率を１とし、
前記光量蓄積時間が前記第１の時間より長く、前記第２の時間より短いときには前記光量蓄積時間に比例して前記駆動量調節部にて前記自動焦点調節器の駆動量算出手段の出力比率を減少させ、前記手動焦点調節器の駆動量算出手段の出力比率を増加させる手段を設け、前記第１レンズ群が駆動されているときだけ前記混合出力で前記第２レンズ群を制御することを特徴とする撮像装置。
【請求項６】
請求項５の構成において、自動焦点調節器と手動焦点調節器の出力を調整する駆動量調節部と記憶素子を設け、前記光量調節手段によって制御される光電変換器の光量蓄積時間に応じて前記駆動量調節部にて前記自動焦点調節器の前記駆動量算出手段の出力と前記手動焦点調節器の前記駆動量算出手段の出力の混合比率をあらかじめ前記記憶素子に記憶し、前記第１レンズ群が駆動されているときだけ、前記記憶素子に記憶された混合比率を用いて混合、出力して前記第２レンズ群を制御することを特徴とする撮像装置。
【請求項７】
請求項５の構成において、自動焦点調節器と手動焦点調節器の出力を調整する駆動量調節部と記憶素子を設け、前記駆動量調節部にて前記自動焦点調節器の前記駆動量算出手段の出力と前記手動焦点調節器の前記駆動量算出手段の出力の複数の混合比率と少なくとも１つ以上の前記光量調節手段によって制御される光電変換器の光量蓄積時間をあらかじめ前記記憶素子に記憶し、現在の光量蓄積時間と記憶されている光量蓄積時間を比較し、前記第１レンズ群が駆動されているときだけ、記憶されている複数の混合比率から選択した混合比率を用いて混合、出力して前記第２レンズ群を制御することを特徴とする撮像装置。
【請求項８】
請求項７の構成において、自動焦点調節器と手動焦点調節器の出力を調整する駆動量調節部と記憶素子を設け、前記駆動量調節部にて前記自動焦点調節器の前記駆動量算出手段の出力と前記手動焦点調節器の前記駆動量算出手段の出力の複数の混合比率と少なくとも１つ以上の前記光量調節手段によって制御される光電変換器の光量蓄積時間をあらかじめ前記記憶素子に記憶し、さらにユーザから前記記憶素子の内容を変更する入力手段を設けることでこれらの変更を可能とし、
現在の光量蓄積時間と記憶されている光量蓄積時間を比較し、前記第１レンズ群が駆動されているときだけ、記憶されている複数の混合比率から選択した混合比率を用いて混合、出力して前記第２レンズ群を制御することを特徴とする撮像装置。
【発明の詳細な説明】
【０００１】
【発明の属する技術分野】
本発明は、光軸方向に沿って移動する変倍のためのレンズ群と、その後方に位置し光軸方向に沿って移動する焦点調節のためのレンズ群と、その後方に光電変換器をそなえる撮像装置において、前記レンズ群を経て光電変換器のセンサ面上に結像した被写体像が含む高周波成分の検出レベルに従い焦点を調節する自動焦点調節機能と、ユーザの操作により焦点を調節する手動焦点調節機能を備え、前記変倍のためのレンズ群の移動を制御する変倍機能を備えた撮像装置に関するものである。
【０００２】
【従来の技術】
被写体側より順に、光軸に沿って移動して変倍をおこなうバリエータレンズ群と、光軸方向に沿って移動し焦点を調節するコンペンセータレンズ群を備え、被写体の照度に応じて光電変換器の光量蓄積時間を制御する手段を有する撮像装置において、ユーザが釦操作等でコンペンセータレンズ群の駆動量および方向を指示することにより焦点を調節する手動焦点調節機能と、
公開昭63-181571、公開昭63-125910等に示される様に、前記レンズ群を経て光電変換器のセンサ面に結像した被写体像を光電変換器にて変換した映像信号に含まれる高周波成分を検出し、その検出レベルから求まる焦点のずれ量に従いコンペンセータレンズ群を駆動することで焦点を調節する、自動焦点調節機能の双方を有するものがある。
【０００３】
従来、前記撮像装置では自動焦点調節機能と手動焦点調節機能が同時に動作することはなく、自動焦点調節機能の作動中に手動による焦点調節を行う場合、手動焦点調節機能への切り替え操作が必要となり手動焦点調節機能と自動焦点調節機能の切り替えをユーザによる釦操作等で行っていた。
【０００４】
【発明が解決しようとする課題】
また、低照度の被写体に対する撮影感度を向上する手法として、被写体照度が暗くなるに従って光電変換器の光量蓄積時間を長くする手法が公開昭63-80688により示されている。
【０００５】
しかし、前記撮像装置において前記手法による撮影感度の向上を実現する場合、蓄積した映像信号の出力周期が長くなるに伴い、自動焦点調節に必要な焦点電圧（撮影映像が含む高周波成分の検出レベル）を得る周期が長くなる。このため被写体照度が低照度になるに従い、自動焦点調節機能は被写体距離の変化に追従しきれなくなる。さらに、このときに変倍動作を行うと、上記撮像装置では変倍のためのバリエータレンズ群の移動に伴う焦点面の変化を補正するために、コンペンセータレンズ群を移動して焦点を調節する必要がある。このため変倍を行うとコンペンセータレンズ群の移動量がより多くなり、正確な焦点調節が難しくなるため焦点がずれてしまう。従来では、上記変倍時の焦点ずれに対し手動で焦点調節を行おうとした場合、自動焦点調節機能が作動している間は手動による焦点調節ができないため、ユーザによる手動焦点調節機能への切り替え操作および自動焦点調節機能への復帰操作が必要となり、ユーザに頻雑な操作を要求することになる。
【０００６】
一方、光量蓄積時間が短い場合、焦点電圧を得る周期が短くなるため、自動焦点調節機能の被写体距離の変化および焦点面の変化に対する追従性は高く、自動焦点調節機能の動作中に手動で焦点調節を行う必要はない。
【０００７】
本発明では、前記の点を考慮し、自動焦点調節機能の動作中に自動焦点調節機能の合焦精度が低下することにより手動で焦点調節を行う必要があるときには、頻雑な切り替え操作なしで手動焦点調節を可能とすることを目的とする。
【０００８】
【課題を解決するための手段】
以上の目的を達成するため、本発明では一例として特許請求の範囲記載の構成を用いる。
【００１０】
【発明の実施の形態】
図１は本発明の１実施例を示すブロック図である。１０１は変倍の為の光軸方向に沿った移動が可能なバリエータレンズ群（以下、Ｖレンズと称す）、１０２は焦点調節を行う為の光軸方向に沿った移動が可能なコンペンセータレンズ群（以下、Ｃレンズと称す）、１０３は絞り、１０４は光電変換器、１０５は光電変換器１０４の出力を増幅する増幅回路、１０６は撮像映像の明るさを判定し、所望の明るさになる様、絞り１０３の開度、光電変換器１０４の光量蓄積時間、および増幅回路１０５の利得を調節する光量調節部、１１７はＶレンズ１０１を駆動する為の駆動部、１１８はＣレンズ１０２を駆動する為の駆動部、１１９は絞り１０３を駆動する為の駆動部、１２０は駆動部１１７を制御するドライバ、１２１は駆動部１１８を制御するドライバ、１２２は駆動部１１９を制御するドライバ、１２３はＶレンズ１０１の位置を検出する位置検出部、１２４はＣレンズ１０２の位置を検出する位置検出部、１１３はユーザがＣレンズの駆動とその駆動方向あるいは停止を指示するためのスイッチ、１１５はユーザがＶレンズの駆動とその駆動方向あるいは停止を指示するためのスイッチ、１０７は映像信号ａに含まれる高周波成分の検出レベルである焦点電圧ｂを算出する焦点電圧算出部、１０８は焦点電圧ｂから合焦状態を判定する合焦判定部、１０９は合焦判定結果ｃを基にＣレンズ１０２の駆動方向並びに駆動量を算出する駆動量算出部、１１０はスイッチ１１３の指示ｍに従いＣレンズ１０２の駆動方向並びに駆動量を算出する駆動量算出部、１１１はスイッチ１１５の指示ｎに従いＶレンズ１０１の駆動方向並びに駆動量を算出するＶレンズ駆動量算出部、１１４は焦点調節手段をユーザが指示するためのスイッチ、１１２は駆動量算出部１０９の出力ｄと駆動量算出部１１０の出力ｇを調整して任意の比率で混合する駆動量調節部、１２５は駆動量調節部１１２からの混合駆動量ｆ’に対して変倍動作に伴う補正を施した結果の駆動量ｆをドライバ１２１へ出力する変倍補正部、１１６は駆動量調節部１１２の動作特性をユーザが変更するための入力装置である。
【００１１】
前記構成の装置における動作を説明する。
【００１２】
ユーザからスイッチ１１４を介して手動焦点調節機能が指示され、かつ変倍動作を行っていない時の動作１は、ユーザによりスイッチ１１３から入力されるＣレンズ１０２の駆動とその駆動方向あるいは停止の指示ｍにより駆動量算出部１１０から指示ｍに従った駆動量ｇが出力される。このとき駆動量調節部１１２は駆動量算出部の出力駆動量ｇをそのまま混合駆動量ｆ’として変倍補正部１２５へ出力する一方、駆動量算出部１０９の出力駆動量ｄを遮断する。そして変倍補正部１２５では、駆動量算出部１１１からの変倍動作状態を示す信号ｊにより変倍動作のないことを認識し、混合駆動量ｆ’への補正は行わず混合駆動量ｆ’を駆動量ｆとしてドライバ１２１へ出力する。従って、Ｃレンズ１０２はスイッチ１１３から入力されるユーザの指示のみに応じた駆動量ｇだけ移動する。前記動作１では、スイッチ１１３のユーザの操作に従いＣレンズ１０２を駆動し、光電変換器１０４上に結像する被写体像の焦点を調節する手動焦点調節を行っている。
【００１３】
ユーザからスイッチ１１４を介して自動焦点調節機能が指示され、かつ変倍動作を行っていない時の動作２は、撮影する被写体像がＶレンズ１０１およびＣレンズ１０２を通り、さらに絞り１０３を通して光電変換器１０４のセンサ面に結像する。光電変換器１０４では結像した被写体像を映像信号ａ’に変換し増幅回路１０５へ出力する。増幅回路１０５にて増幅された映像信号ａを焦点電圧算出部１０７に入力し、焦点電圧算出部１０７にて映像信号ａから検出した高周波成分の検出レベルである焦点電圧ｂを出力する。そして合焦判定部１０８にて焦点電圧ｂを基に合焦の度合いを判定し、焦点のずれ量と合焦点への焦点方向を合焦判定結果ｃとして出力する。駆動量算出部１０９では合焦判定結果ｃに従い算出したＣレンズ１０２の駆動量ｄを出力する。このとき駆動量調節部１１２は駆動量算出部１０９の出力駆動量ｄをそのまま混合駆動量ｆ’として変倍補正部１２５へ出力する一方、駆動量算出部１１０の出力駆動量ｇを遮断する。そして変倍補正部１２５では、駆動量算出部１１１からの変倍動作状態を示す信号ｊにより変倍動作のないことを認識し、混合駆動量ｆ’への補正は行わず混合駆動量ｆ’を駆動量ｆとして出力する。従って、Ｃレンズ１０２は合焦判定部１０８の判定結果ｃのみに応じて算出された駆動量ｄだけ移動する。前記動作２では、焦点電圧算出部１０７に入力される映像信号ａに含まれる焦点電圧ｂを合焦判定部１０８にて合焦判定した結果ｃに従ってＣレンズ１０２を駆動することで光電変換器１０４上に結像する被写体像の焦点を調節し、その結果得られる映像信号ａを再び焦点電圧算出部１０７に入力する閉ループにより自動焦点調節を行っている。
【００１４】
前記動作１において、ユーザよりスイッチ１１５にてＶレンズ１０１の駆動が指示され変倍動作を行うときの動作３では、Ｖレンズ駆動量算出部１１１によりスイッチ１１５からの駆動とその駆動方向の指示に応じた駆動量ｌがドライバ１２０に出力され変倍動作が行われる。このとき駆動量調節部１１２は駆動量算出部１１０の出力駆動量ｇをそのまま混合駆動量ｆ’として出力し、駆動量算出部１０９の出力は遮断する。変倍補正部１２５では、駆動量算出部１１１からの変倍動作状態を示す信号ｊにより変倍動作を行っていることを認識し、位置検出部１２４から得られるＣレンズ１０２の位置ｏから混合駆動量ｆ’だけ移動したときのＣレンズの位置を算出し、算出した前記Ｃレンズの位置と位置検出部１２３から得られるＶレンズ１０１の位置ｐとの相対的関係から定まる被写体距離を求め、前記被写体距離におけるＶレンズの移動に対するＣレンズの軌跡（以下、カムカーブと称す）を算出する。そして駆動量算出部１１１から入力するＶレンズ駆動後のＶレンズ位置ｋに対するＣレンズ位置を前記カムカーブから求め、そのＣレンズ位置への駆動量ｆをドライバ１２１へ出力する。前記動作３では、ユーザのスイッチ１１３の操作による手動焦点調節に従った駆動量ｇに変倍動作に伴う焦点補正を施した駆動量ｆにより、光電変換器１０４上に結像する被写体像の焦点を調節する変倍時の手動焦点調節を行う。
【００１５】
前記動作２において、ユーザよりスイッチ１１５にてＶレンズ１０１の駆動が指示され変倍動作を行うときの動作４では、Ｖレンズ駆動量算出部１１１によりスイッチ１１５からの駆動とその駆動方向の指示に応じた駆動量ｌがドライバ１２０に出力され変倍動作が行われる。駆動算出部１０９からは、前記動作２と同様に映像信号ａに含まれる焦点電圧ｂをもとに合焦判定した結果ｃに従って算出される自動焦点調節の駆動量ｄが出力され、駆動算出部１１０からは、前記動作１と同様に、ユーザによりスイッチ１１３から入力されるＣレンズ１０２の駆動指示ｍに従って算出される手動焦点調節の駆動量ｇが出力される。このとき駆動量調節部１１２では、光量調節部１０６から得られる光量蓄積時間ｅに従い、駆動量ｄと駆動量ｇの比率を調整し混合した駆動量ｆ’を変倍補正部１２５に出力する。変倍補正部１２５では、駆動量算出部１１１からの変倍動作状態を示す信号ｊにより変倍動作を行っていることを認識すると、前記動作３と同様にカムカーブを算出し、前記動作３と同様に駆動量算出部１１１から入力するＶレンズ駆動後のＶレンズ位置ｋに対するＣレンズ位置を前記カムカーブから求め、そのＣレンズ位置への駆動量ｆをドライバへ出力する。前記動作４では、ユーザのスイッチ１１３の操作による手動焦点調節の駆動量ｇと、合焦判定部１０８で合焦判定した結果ｃに従った自動焦点調節の駆動量ｄを調整し混合した駆動量ｆ’に変倍動作に伴う焦点補正量を施した駆動量ｆによりＣレンズ１０２を駆動することで、光電変換器１０４上に結像する被写体像の焦点を調節する変倍時の自動焦点調節と自動焦点調節中のユーザによる手動焦点調節を行う。
【００１６】
次に駆動量調節部１１２の１実施例における詳細な動作を説明する。
【００１７】
図２は図１の駆動量調整部１１２の内部を示すブロック図である。２０１は駆動量ｄと駆動量ｇの調整比率を決定する調整比率算出部、２０５は光量蓄積時間ｅに対応する駆動量ｄと駆動量ｇの複数の調整比率を保持する記憶素子、２０２は調整比率算出部２０１の出力ｑと駆動量ｄを積算する積算部、２０３は調整比率算出部２０１の出力ｒと駆動量ｇを積算する積算部、２０４は積算部２０２の出力ｓと積算部２０３の出力ｔを加算し駆動量ｆ’とする加算部である。
【００１８】
図３は光量蓄積時間をパラメータとした駆動量ｄと駆動量ｇの調整比率を表す特性図の例であり、曲線３０１は駆動量ｄの調整比率ｑ、曲線３０２は駆動量ｇの調整比率ｒを表す。光量蓄積時間Ａは光量蓄積時間が長くなるに従い自動焦点調節機能による制御力が減衰し手動焦点調節機能の感度が上がり始める光量蓄積時間を表し、光量蓄積時間Ｃは自動焦点調節は行われず、手動焦点調節のみによる焦点調節となり始める光量蓄積時間を表す。また、この特性図に示される光量蓄積時間と駆動量比率との関係が前記記憶素子２０５に保持されている。
【００１９】
図２の構成において、指示ｈで手動焦点調節機能が指示されると（前記動作１、動作３）、調整比率算出部２０１は積算部２０２に対して調整比率ｑとして０を出力し、積算部２０３に対しては調整比率ｒとして１を出力する。従って積算部２０２の積算結果ｓは０、積算部２０３の積算結果ｔは駆動量ｇと同等となり、加算部２０４からは駆動量ｇと同等な駆動量ｆ’が出力される。
【００２０】
指示ｈで自動焦点調節機能が指示され、変倍動作状態を示す信号ｊで変倍動作なしが示されるとき（前記動作２）、調整比率算出部２０１は積算部２０２に対して調整比率ｑとして１を出力し、積算部２０３に対しては調整比率ｒとして０を出力する。従って積算部２０２の積算結果ｓは駆動量ｄと同等となり、積算部２０３の積算結果ｔは０となるため、加算部２０４からは駆動量ｄと同等な駆動量ｆ’が出力される。
【００２１】
指示ｈで自動焦点調節機能が指示され、変倍動作状態を示す信号ｊで変倍動作中が示されるとき（前記動作４）、調整比率算出部２０１は光量蓄積時間ｅに対応する駆動量調整比率を記憶素子２０５から読み出し、読み出した比率に従った値を積算部２０２および積算部２０３に出力する。例えば光量蓄積時間が図３におけるＢのときは、調整比率ｑに０．２５を、調整比率ｒには０．７５を出力する。そして積算部２０２で積算した結果ｓと積算部２０３で積算した結果ｔを加算部２０４で加算し、その結果を駆動量ｆ’として出力する。
【００２２】
なお、積算部２０２および積算部２０３に出力する調整比率は１以上の値をとっていてもよい。
【００２３】
また、前記変倍を伴う自動焦点調節機能の作動時と同様に、前記手動焦点調節機能の作動時や、前記変倍を伴わない自動焦点調節機能の作動時にも図３における光量蓄積時間Ａに対応する調整比率を記憶素子２０５より適宜読み出すことで、調整比率算出部における処理の同一化を図ることも可能である。また、記憶素子２０３には比率特性をあらわす１つの曲線、例えば図３における曲線３０１のみを記憶しておき、調整比率算出部２０１にて他方の曲線、前記例の場合は図３における曲線３０２を適宜算出し、調整比率をもとめることも可能である。
【００２４】
また、ユーザにより図３の特性における光量蓄積時間Ａと光量蓄積時間Ｃそれぞれに対応する値が特性データｉにて指定されると、調整比率算出部２０１にて特性データｉに従い記憶素子２０５の内容を変更し、ユーザの意図する特性で動作するようになる。例えばユーザにより特性データｉにて図３における光量蓄積時間Ａに対応する値をＡ’、光量蓄積時間Ｃに対応する値をＣ’と指定されたとき、調整比率算出部２０１にて図４に示す比率特性を算出し、記憶素子２０５に記憶されている図３に示される比率特性を図４に示す比率特性に変更する。前記例では、自動焦点調節機能による制御力が減衰し手動焦点調節の感度が上がり始める光量蓄積時間はより長い時間に設定され、手動焦点調節のみでの焦点調節となる光量蓄積時間はより短い時間に設定される。
【００２５】
また、図５の曲線５０１、５０２、５０３、５０４に示す様な複数の比率特性をあらかじめ記憶素子２０５に記憶しておき、図３の特性曲線３０１と特性曲線３０２のそれぞれに置き換わる特性を前記複数の比率特性からユーザにより特性データｉにて指定されると、調整比率算出部２０１にて記憶素子２０５に記憶する前記複数の比率特性から特性データｉに従った特性を選択し、以後選択した特性にて動作する方法によってもユーザの意図に近い動作を実現することができる。
【００２６】
なお、前記駆動量調整部１１２の動作はマイクロコンピュータのプログラムと書き換え可能な記憶素子を用いて実現することも可能である。
【００２７】
前記実施例では、自動焦点調節機能が動作中で変倍動作を行ったときに、自動焦点調節機能の合焦精度が低下した場合、手動焦点調節機能への切り替え操作を必要としないまま手動で焦点を調節することが可能である一方、自動調節機能の合焦精度が十分に得られ、ユーザによる焦点調節を不要とする状態ではユーザの操作による影響を排除することが可能である。
【００２８】
また、自動焦点調節機能の合焦精度が低下するに従ってユーザによる焦点調節の感度を増すことができ、かつ自動焦点調節機能による焦点ずれを減じせしめることが可能である。
【００２９】
さらに、自動焦点調節機能の動作中における手動焦点調節の感度をユーザに合わせた感度に調節でき、ユーザの操作感の向上が図れる。
【００３０】
【発明の効果】
以上の様に本発明によれば、自動焦点調節時に変倍を行ったときの焦点ずれに対し手動で焦点調節を行う際に、従来必要とされていた手動焦点調節機能へのユーザによる頻雑な切り替え操作を行うことなく手動による焦点調節が可能となる。
【００３１】
また、手動焦点調節の難易度、並びに自動焦点調節機能の合焦精度に応じて自動焦点調節機能が作動している間の手動焦点調節の感度を変化させることが可能である。
【００３２】
また、被写体の変化が無く合焦しているにもかかわらず、自動焦点調節機能の合焦精度が低下しているために自動焦点調節機能により焦点がずれてしまうことを抑止する効果が得られる。
【００３３】
さらに、自動焦点調節機能の動作中における手動焦点調節の感度をユーザに合わせた感度に調節でき、ユーザの操作感の向上が図れる。
【図面の簡単な説明】
【図１】本発明による撮像装置の１実施例の構成を示すブロック図である。
【図２】１実施例の駆動量調整部の内部を示すブロック図である。
【図３】１実施例の駆動量調整部の動作を表す特性図である。
【図４】１実施例のユーザによる比率特性変更後の駆動量調整部の動作を表す特性図である。
【図５】駆動量調整部の動作を表す特性図である。
【符号の説明】
１０１・・・バリエータレンズ群、
１０２・・・コンペンセータレンズ群、
１０３・・・絞り、
１０４・・・光電変換器、
１０５・・・増幅回路、
１０６・・・光量調節部、
１０７・・・焦点電圧算出部、
１０８・・・合焦判定部、
１０９〜１１１・・・駆動量算出部、
１１２・・・駆動量調節部
１１３〜１１５・・・スイッチ、
１１６・・・ユーザ入力装置、
１１７〜１１９・・・駆動部、
１２０〜１２２・・・ドライバ、
１２３、１２４・・・位置検出部、
１２５・・・変倍補正部、
２０１・・・調整比率算出部、
２０２、２０３・・・積算部、
２０４・・・加算部、
２０５・・・記憶素子、
３０１、３０２・・・駆動量の出力比率、
ａ’・・・光電変換した映像信号、
ａ・・・増幅した映像信号、
ｂ・・・焦点電圧、
ｃ・・・合焦判定結果、
ｄ、ｇ・・・Ｃレンズ駆動量、
ｅ・・・光量蓄積時間、
ｆ’・・・混合駆動量、
ｆ・・・変倍補正済みの駆動量、
ｈ・・・自動焦点調節機能と手動焦点調節機能の切り替え指示、
ｉ・・・調整比率特性データ、
ｊ・・・変倍動作状態を示す信号、
ｋ・・・Ｖレンズ駆動後のＶレンズ位置、
ｌ・・・Ｖレンズ駆動量、
ｍ・・・Ｃレンズ駆動指示、
ｎ・・・Ｖレンズ駆動指示、
ｏ・・・Ｃレンズ位置、
ｐ・・・Ｖレンズ位置、
ｑ、ｒ・・・調整比率、
ｓ、ｔ・・・積算結果
【図１】
0003909175.tif 000002
【図２】
0003909175.tif 000003
【図３】
0003909175.tif 000004
【図４】
0003909175.tif 000005
【図５】
0003909175.tif 000006